(57)【要約】      （修正有）【課題】プラスチック材料及び／またはポリマーに対して低い強度の新たな切削及びフライス加工を行う機械を提供する。【解決手段】カットされるプラスチック材料２が置かれる少なくとも一の動作型の切削テーブル１と、複数の下部の電磁石３及び複数の上部の電磁石４と、強磁性の球体５と、マイクロ波を放射する手段６と、コンピューター数値制御手段７と、を含む裁断機に関する。この機械は、熱溶解によってプラスチック材料をカットする球体５の使用に基づいており、該球体は、磁気手段によって空間中で制御される。【選択図】図１
2008264936.tif 000002
【特許請求の範囲】
【請求項１】
カットされるプラスチック材料（２）が置かれる一の動作型の切削テーブル（１）と、
複数の下部の電磁石（３）及び複数の上部の電磁石（４）と、
強磁性の球体（５）と、
マイクロ波を放射する手段（６）と、
コンピューター数値制御手段（７）と、を含み、
前記複数の下部の電磁石（３）と上部の電磁石（４）は、強磁性の球体（５）を空間中に固定し、前記強磁性の球体は、前記マイクロ波を放射する手段（６）によって加熱され、プラスチック材料（２）の切削が熱溶解によって行われる
ことを特徴とする裁断機。
【請求項２】
前記複数の上部の（４）及び下部の（３）電磁石は、実質的に球状の様態で分配されることを特徴とする請求項１記載の裁断機。
【請求項３】
前記上部の（４）及び下部の（３）電磁石における磁界の強度は、コンピューター数値制御手段（７）によって制御されることを特徴とする請求項２記載の裁断機。
【請求項４】
前記強磁性の球体（５）は、７５℃以上１８０℃以下の温度であることを特徴とする請求項１記載の裁断機。
【請求項５】
前記マイクロ波を放射する手段（６）は、コンピューター数値制御手段（７）によって制御されることを特徴とする請求項１及び４記載の裁断機。
【請求項６】
前記強磁性の球体（５）は、切歯（５１）を備えたことを特徴とする請求項１記載の裁断機。
【請求項７】
前記動作型の切削テーブル（１）は、非磁性かつ非熱伝導性の材料で作られたことを特徴とする請求項１記載の裁断機。
【発明の詳細な説明】
【技術分野】
【０００１】
（発明の目的）
本発明の目的は、プラスチック材料及び／又はポリマーに対して低い強度の新たな切削及びフライス加工（ｍｉｌｌｉｎｇ）を行う機械を提示することである。この機械は、溶解によって上記の材料をカットし、かつ、磁気手段によって空間で制御される、熱ボール（ｈｏｔ  ｂａｌｌ）の使用に基づく。それは、主としてプラスチックの製造及び変形の産業分野での使用を意図しており、特に、実物大模型（ｍｏｃｋ−ｕｐ）及び試作（ｐｒｏｔｏｔｙｐｉｎｇ）の分野で有用である。
【背景技術】
【０００２】
（最先端技術）
現在の最先端技術において、コンピュータ数値制御（ＣＮＣ）フライス盤は、３，４及び５軸を備えたものが知られており、このような機械では特定のモデルの迅速で正確な加工を可能にする。
【０００３】
これらの機械の主な欠点は、以下のように要約することができる：
−  材料が浪費されること。
−  加工が繰り返されること、すなわち、材料に対して異なる通過（パス）を遂行する必要があること。
−  単一片の前側（ｐｏｓｉｔｉｖｅ）と後側（ｎｅｇａｔｉｖｅ）を同時に遂行する能力が無いこと。
−  ストップ（ｓｔｏｐ）（機械加工できる軸から目に見えないエリア）及び／又は引き抜き（ｄｒａｗｉｎｇ）（上部からアクセスすることができない垂直未満の負の角）を備えた特別仕様型を実行する能力が無いこと。
【０００４】
磁気浮上システム、及びこれらの要素を、いくつかの用途、特に電動機のような輸送（磁気浮上輸送手段）においてコントロールするための手段も知られている。しかしながら、当業者である発明者らは、以下に記述された本発明の存在に気付いていない。
【発明の開示】
【発明が解決しようとする課題】
【０００５】
（発明の詳細な説明）
本発明の裁断機の目的は、前述の欠点を軽減することを提示するものである。
【課題を解決するための手段】
【０００６】
この機械は、少なくとも下記の要素を含む。
−  カットされる部品が固定される機械の一部である、１つの動作型の切削テーブル（１）。そして、このテーブルは、さらに次のものを含む。
ｏ  １つの基礎；
ｏ  柱状（ｐｒｉｓｍａｔｉｃ）のガイド；
ｏ  ポジション・センサー；
ｏ  対応する変速装置（ｖａｒｉａｔｏｒ）を備えた複数の電動機。
−  切削用の強磁性の球体を空間中に固定することを担当する部分である、複数の下部の電磁石及び複数の上部の電磁石。そして、これら電磁石は、少なくとも２つの独立した変速装置により制御される少なくとも１つの電動機を同様に含み；そして、これらの電磁石は、動作型の切削テーブルに対して上部及び下部のそれぞれの箱に含まれる。
−  強磁性の球体。
−  少なくとも１のコンピューター数値制御変速装置（ｖａｒｉａｔｏｒ）によってコントロールされる、マイクロ波を放射する手段。
−  コンピューター数値制御手段。
ここで、複数の下部の電磁石及び複数の上部の電磁石は、実質的に球状の様態で分配され、その電界強度はコンピューター数値制御手段によって制御される。
【０００７】
電磁石によって、磁界の作用により、強磁性の球体を空間中に及び切削テーブル上で固定することが可能であり、強磁性の球体は、例えば発泡スチロール、ポリウレタンなどのようなプラスチック材料を、熱の作用で切削（ｃｕｔ）することを担当する。
【０００８】
動作型の切削テーブルは、非磁性及び非熱伝導性の材料によって形成される。
【０００９】
強磁性の球体は、コンピューター数値制御により制御されるマイクロ波を放射する手段によって、７５℃以上１８０℃以下の温度に加熱されるだろう。
【発明の効果】
【００１０】
本発明によれば、以下の利点が得られる：
−  同じ部品の前側と後側を同時に同じオペレーションで遂行する可能性。
−  チップの浪費を０％近くにして、原材料の実行が最適化され、さらに、これにより環境汚染を無にすること。
−  操作者に関して無害であること。
−  作業のデッド・スポットが無くなること。
−  曲がった穴開け（ドリル）を行なう可能性。
【発明を実施するための最良の形態】
【００１１】
（発明の好ましい実施例）
添付図面の中で観察することができるように、本発明の裁断装置は、少なくとも、
−  カットされるプラスチック材料（２）が置かれる、一の動作型の切削テーブル（１）；
−  複数の下部の電磁石（３）及び複数の上部の電磁石（４）；
−  強磁性の球体（５）；
−  マイクロ波を放射する手段（６）；
−  コンピューター数値制御手段（７）；
を含み、この内、複数の下部の（３）及び上部の（４）電磁石は、強磁性の球体（５）を空間中に固定し、また、強磁性の球体はマイクロ波を放射する手段（６）によって加熱され、さらに、プラスチック材料（２）の切削が熱溶解によって行われる。
【００１２】
複数の上部の（４）及び下部の（３）電磁石は、実質的に球状の様態で分配され、かつ、上部の（４）及び下部の（３）電磁石における磁界の強度は、コンピューター数値制御手段（７）によってさらに制御される。
【００１３】
強磁性の球体（５）は、７５℃以上１８０℃以下の温度であり、マイクロ波を放射する手段（６）は、コンピューター数値制御手段（７）によってさらに制御される。
【００１４】
強磁性の球体（５）は、好適な実施形態では切歯（５１）を備えており、別の好適な実施形態では、それが滑らかになっている。
【００１５】
動作型の切削テーブル（１）は、非磁性かつ非熱伝導性の材料で作られる。
【図面の簡単な説明】
【００１６】
一連の図面は、より良い理解において本発明を支援し、また、制限されない例として説明される本発明の実施形態と明確に関係するものであり、以下に極めて簡潔に説明される。
【００１７】
【図１】裁断機を示す図である。
【図２】プラスチック上の強磁性の球体の切削についての詳細を示す図である。
【図３】裁断機の一部を形成する電磁石の詳細を示す図である。
【図４】強磁性の球体の詳細を示す図である。
【図１】
2008264936.tif 000003
【図２】
2008264936.tif 000004
【図３】
2008264936.tif 000005
【図４】
2008264936.tif 000006
【外国語明細書】
CUTTING MACHINE
OBJECT OF THE INVENTION
The object of the present invention is to present a new low-intensity cutting and milling machine for plastic materials and/or polymers. This machine is based on the use of a hot ball cutting the mentioned materials by means of fusion, and which is controlled in space by magnetic means.
It is mainly intended for use in the industrial field of the manufacture and transformation of plastics, being particularly useful in the mock-up and prototyping field.
STATE OF THE ART
Computer numerical control (CNC) milling machines are known in the current state of the art having three, four and five shafts, which machines allow a quick and precise milling of a certain model. The main drawbacks of these machines can be summarized as follows:
・  Waste of material.
・  Repeated milling, i.e. the need to carry out different passes over the material.
・  In ability to carry out the positive and negative of a single piece at the same time.
・  Inability to carry out special models with stops (areas which are not visible from the machining shaft) and/or drawings (negative angles less than the vertical which cannot be accessed through the upper part).
Magnetic levitation systems and the means for controlling these elements in several applications, especially in transport (magnetic levitation transport means) such as electric motor are also known. Nevertheless, the inventors, who are persons skilled in the art, are not aware of the existence of an invention such as that described below.
DESCRIPTION OF THE INVENTION.
The cutting machine object of the present invention is set forth to palliate the aforementioned drawbacks:
This machine comprises at least the following elements:
・  one moving type cutting table (1), which is the part of the machine in which the pieces to be cut are fixed, and in which said table also comprises:
・  one base;
・  prismatic guides;
・  position sensors;
・  a plurality of electric motors with their corresponding variators;
・  a plurality of lower electromagnets and a plurality of upper electromagnets, which is the part in charge of fixing a cutting ferromagnetic sphere in space; and in which the electromagnets in turn comprise at least one electric motor controlled by, at least two independent variators; and in which these electromagnets are comprised in respective upper and lower boxes with respect to the moving cutting table;
・  a ferromagnetic sphere;
・  microwave emitting means, controlled by at least one computer numerical control variator; 
・  computer numerical control means.
in which the plurality of lower electromagnets, and the plurality of upper electromagnets are distributed in an essentially spherical manner, being the field intensity being controlled by the computer numerical control means.
By means of the electromagnets, it is possible to fix a ferromagnetic sphere in space and on the cutting table due to the effect of the magnetic fields, which ferromagnetic sphere is in charge of cutting plastic materials, such as, for example, expanded polystyrene, polyurethane, etc. by thermal effect.
The moving cutting table is formed by non-magnetic and non-thermal conducting materials.
The ferromagnetic sphere will be heated at a temperature of no less than 75° and no more than 180° by the microwave emitting means, controlled by the computer numerical control means.
The following advantages are obtained by the present invention:
・  Possibility of performing positives and negatives of the same piece, at the same time and in the same operation.
・  Optimized performance of raw material, with a waste of chips close to 0 %; it also causes the environmental contamination to be null.
・  Harmless with respect to the operator.
・  Lack of dead spots of activity.
・  Possibility of performing curved drills
BRIEF DESCRIPTION OF THE DRAWINGS
A series of drawings is very briefly described below which aid in better understanding the invention and which are expressly related to an embodiment of said invention which is set forth as an illustrative but non limiting example thereof.
・  Figure 1 shows a view of the cutting machine.
・  Figure 2 shows a detailed view of the cutting of the ferromagnetic sphere on a plastic.
・  Figure 3 shows a detail of the electromagnets forming part of the cutting machine.
・  Figure 4 is a detailed view of the ferromagnetic sphere.
PREFERRED EMBODIMENT OF THE INVENTION
As can be observed in the attached figures, the cutting machine object of the present invention comprises at least:
・  one moving type cutting table (1) on which the plastic material to be cut is placed (2);
・  a plurality of lower electromagnets (3) and a plurality of upper electromagnets (4);
・  a ferromagnetic sphere (5);
・  microwave emitting means (6); 
・  computer numerical control means (7);
and in which the plurality of lower (3) and upper (4) electromagnets fix a cutting ferromagnetic sphere (5) in space; and in which said ferromagnetic sphere is heated by the microwave emitting means (6); and in which the cutting of the plastic material (2) is by means of thermal fusion.
The plurality of upper (4) and lower (3) electromagnets are distributed in an essentially spherical manner, and in which, the intensity of the magnetic field in the upper (4) and lower (3) electromagnets is further controlled by the computer numerical control means (7).
The ferromagnetic sphere (5) is at a temperature of no less than 75° and no more than 180° and the microwave emitting means (6) are further controlled by the computer numerical control means (7).
The ferromagnetic sphere (5) has cutting teeth (51) in a preferred embodiment, while in another one it is smooth.
The moving cutting table (1) is made from a non-magnetic and non-thermal conducting material.
1.- A cutting machine characterized in that it comprises at least:
・  one moving type cutting table (1) on which the plastic material to be cut is placed (2);
・  a plurality of lower electromagnets (3) and a plurality of upper electromagnets (4);
・  a ferromagnetic sphere (5);
・  microwave emitting means (6); 
・  computer numerical control means (7);
and in which the plurality of lower (3) and upper (4) electromagnets fix a cutting ferromagnetic sphere (5) in the space; and in which said ferromagnetic sphere is heated by the microwave emitting means (6); and in which the cutting of the plastic material (2) is by means of thermal fusion.
2.- A cutting machine according to claim one, characterized in that the plurality of upper (4) and lower (3) electromagnets, are distributed in an essentially spherical manner.
3.- A cutting machine according to the previous claims, characterized in that the intensity of the magnetic field in the upper (4) and lower (3) electromagnets is controlled by the computer numerical control means (7).
4.- A cutting machine according to claim one, characterized in that the ferromagnetic sphere (5) is at a temperature of no less than 75° no more than 180°.
5.-  A cutting machine according to claim one and four, characterized in that the microwave emitting means (6) are controlled by the computer numerical control means (7).
6.- A cutting machine according to claim one, characterized in that the ferromagnetic sphere (5) has cutting teeth (51).
7.- A cutting machine according to claim one, characterized in that the moving cutting table (1) is made from a non-magnetic and non-thermal conducting material.
The present invention relates to a cutting machine comprising at least one moving type cutting table (1), in which the plastic material to be cut (2) is placed; a plurality of lower electromagnets (3) and a plurality of upper electromagnets (4) a ferromagnetic sphere (5); microwave emitting means (6); computer numerical control means (7). This machine is based on the use of a sphere (5) cutting plastic materials by means of thermal fusion, and which is controlled in space by magnetic means.
2008264936.tif 000007
2008264936.tif 000008